(57)【要約】  通常および圧縮モード用に設定されたすべてのＴＦＣの中から有効な（すなわち、サポートされた）ＴＦＣを決定するための技術。これらの技術は“ＴＦＣ認定”を正確に実行するために十分な履歴情報を維持する。第１のスキームにおいて、各ＴＦＣの異なる組合せのために送信電力要求状態が維持される。ひとつの組合せは各ＴＦＣ間隔での各ＴＦＣのために適用され、適切な状態において適用される組合せから有効なＴＦＣが決定される。第２のスキームにおいて、通常および圧縮モード用の各ＴＦＣのために２つの送信電力要求状態が維持される。第３のスキームにおいて、特別な相対電力要求に基づく両モードのための各ＴＦＣのために単一の送信電力要求状態が維持される。第４のスキームにおいて、すべてのＴＦＣに要求される送信電力の合計レンジをカバーする相対“ビン”のセットのために送信電力要求状態が維持される。第５のスキームにおいて、相対電力要求閾値のセットが維持される。
2005510120.tif 000002
【特許請求の範囲】
【請求項１】
無線通信システムで使用するためにサポートされたトランスポートフォーマット組合せ（ＴＦＣ）を決定する方法であって、
１つ以上のＴＦＣのそれぞれについて、複数の組合せのそれぞれに対して、要求される送信電力を決定し、各ＴＦＣはデータ送信のためのパラメータ値のセットに対応し、各ＴＦＣのそれぞれの組合せはデータ送信のための特定送信レベルに対応し、
前記組合せに対して要求される送信電力および最大利用可能送信電力に基づいて各ＴＦＣのそれぞれの組合せの状態を決定し、
それぞれの組合せの前記状態に基づいて、次に来る間隔に対して使用する可能性がある少なくとも１つのＴＦＣのそれぞれのために１つの組合せを選択することを含む方法。
【請求項２】
各ＴＦＣに対する複数の可能性ある組合せは通常モード用の１つの組合せおよび圧縮モード用の少なくとも１つの組合せを備える請求項１の方法。
【請求項３】
各ＴＦＣのそれぞれの組合せに対する前記特定送信レベルは圧縮モード用に規定された送信ギャップパラメータ値によって決定される請求項２の方法。
【請求項４】
各ＴＦＣのそれぞれの組合せに対する前記特定送信レベルは１つ以上のトランスポートチャネル上で送信される１つ以上のフレームの特定のセットに対して決定される請求項２の方法。
【請求項５】
各ＴＦＣに対して次に来る間隔に適用可能な特定の組合せを、複数の可能性ある組合せの中から識別することをさらに備え、少なくとも１つの適用可能な組合せは次に来る間隔の可能性ある使用のために選択される請求項２の方法。
【請求項６】
各ＴＦＣのそれぞれの組合せは複数の可能性ある状態の１つにある請求項５の方法。
【請求項７】
前記複数の可能性ある状態はサポートされた状態、過剰電力状態およびブロックされた状態を含む請求項６の方法。
【請求項８】
前記サポートされた状態での適用可能な組合せは次に来る間隔のための可能性ある使用のために選択される請求項７の方法。
【請求項９】
各ＴＦＣのそれぞれの組合せに対して要求される前記送信電力は前記組合せおよび基準送信に対して要求される送信電力に関連する相対電力要求に基づいて決定される請求項１の方法。
【請求項１０】
各ＴＦＣのそれぞれの組合せについて、組合せに対して要求される前記送信電力が最大利用可能送信電力によってサポートされるかどうかを示す各測定期間に対するインジケータを得ることをさらに備え、各ＴＦＣのそれぞれの組合せの前記状態はＹ個の測定期間に対するインジケータに基づいて決定される請求項１の方法。
【請求項１１】
各ＴＦＣのそれぞれの組合せについて、Ｙ個の測定期間に対するインジケータを記憶することをさらに備えた請求項１０の方法。
【請求項１２】
各ＴＦＣの前記複数の可能性ある組合せは通常モード用の１つの組合せおよび圧縮モード用の１つの組合せを備える請求項１の方法。
【請求項１３】
各ＴＦＣの圧縮モード用の前記組合せはＴＦＣの前記圧縮モードにおける最大要求送信電力と関連する請求項１２の方法。
【請求項１４】
各ＴＦＣの圧縮モード用の前記組合せはＴＦＣの前記圧縮モードにおける平均要求送信電力と関連する請求項１２の方法。
【請求項１５】
各ＴＦＣのそれぞれの組合せについて、前記組合せに対して要求される送信電力が最大利用可能送信電力によってサポートされるかどうかを示す各測定期間のインジケータを得ることをさらに備え、各ＴＦＣのそれぞれの組合せの前記状態はＹ個の測定期間に対するインジケータに基づいて決定される請求項１２の方法。
【請求項１６】
各ＴＦＣの２つの組合せについて、Ｙ個の測定期間に対するインジケータの２つのセットを記憶することをさらに備える請求項１５の方法。
【請求項１７】
前記無線通信システムはＷ−ＣＤＭＡシステムである請求項１の方法。
【請求項１８】
１つ以上のＴＦＣのそれぞれについて、複数の組合せのそれぞれに対して、要求される送信電力を決定し、各ＴＦＣはデータ送信のためのパラメータ値のセットに対応し、各ＴＦＣのそれぞれの組合せはデータ送信のための特定送信レベルに対応し、
前記組合せに対して要求される前記送信電力および最大利用可能送信電力に基づいて各ＴＦＣのそれぞれの組合せの状態を決定し、
それぞれの組合せの前記状態に基づいて、次に来る間隔に対して使用する可能性がある少なくとも１つのＴＦＣのそれぞれのために１つの組合せを選択するために、
デジタル情報を解釈することができるデジタルシグナルプロセッシングデバイス（ＤＳＰＤ）と通信可能に結合されたメモリ。
【請求項１９】
無線通信システムで使用するためにサポートされたトランスポートフォーマット組合せ（ＴＦＣ）を決定する方法であって、
複数のビンのそれぞれについて、前記ビンに対して要求される送信電力が最大利用可能送信電力によってサポートされるかどうかを示す、各測定期間に対するインジケータを得て、
次に来る間隔について、前記ＴＦＣに対して要求される送信電力に基づいて、１つ以上のＴＦＣのそれぞれに対して次に来る間隔に適用可能な特定のビンを、前記複数のビンの中から、特定し、
前記ＴＦＣに適用可能な前記ビンに対して得られたインジケータに基づいて、前記次に来る間隔のために各ＴＦＣの状態を決定し
各ＴＦＣの前記状態に基づいて、前記次に来る間隔に対して使用する可能性がある１つ以上のＴＦＣを選択することを含む方法。
【請求項２０】
各ビンの状態を維持し、
前記ビンに対して得られたインジケータに基づいて、各測定期間に対して各ビンの前記状態を更新し、
各ＴＦＣの前記状態を、前記ＴＦＣに適用可能な前記ビンの状態に等しく設定することをさらに備えた請求項１９の方法。
【請求項２１】
前記複数のビンは基準送信電力レベルに関連する複数の送信電力レベルのために規定される請求項１９の方法。
【請求項２２】
各ＴＦＣに対して要求される送信電力はデータ送信のために通常モードまたは圧縮モードを使用するどうかに依存する請求項１９の方法。
【請求項２３】
各ＴＦＣに対して要求される送信電力は前記次に来る間隔において前記ＴＦＣのために送信される１つ以上のフレームの特定のセットにさらに依存する請求項２２の方法。
【請求項２４】
前記複数のビンはすべてのＴＦＣに対して要求される送信電力の範囲をカバーする請求項１９の方法。
【請求項２５】
前記複数のビンは均一量で分離される請求項２４の方法。
【請求項２６】
前記無線通信システムはＷ−ＣＤＭＡシステムである請求項１９の方法。
【請求項２７】
無線通信システムで使用するためにサポートされたトランスポートフォーマット組合せ（ＴＦＣ）を決定する方法であって、
各測定期間に対して、データ送信のために利用可能な送信電力を示す値を決定し、
複数の測定期間に対して決定される複数の値に一部基づいて、次に来る間隔に対して１つ以上のＴＦＣのそれぞれの状態を決定し、
それぞれのＴＦＣの前記状態に基づいて、次に来る間隔に対して使用する可能性がある１つ以上のＴＦＣを選択することを備えた方法。
【請求項２８】
前記値は最大利用可能送信電力の基準送信のために要求される送信電力に対する比として決定される請求項２７の方法。
【請求項２９】
各ＴＦＣに対して要求される送信電力を決定し、
各ＴＦＣに対して要求される前記送信電力を、前記複数の測定期間に対する前記複数の値に対して、比較することをさらに備え、各ＴＦＣの前記状態は前記比較の結果に基づいて決定される請求項２７の方法。
【請求項３０】
各ＴＦＣの前記状態は、前記複数の測定期間に対して決定される前記複数の値に基づいて、各間隔に対して新たに決定される請求項２７の方法。
【請求項３１】
各ＴＦＣの前記状態を各ＴＦＣの現在の状態を記憶することで決定し、
前記ＴＦＣの前記記憶された現在の状態および前記複数の測定期間に対して決定される前記複数の値に基づいて、各測定期間に対する各ＴＦＣの前記状態を更新する請求項２７の方法。
【請求項３２】
前記無線通信システムはＷ−ＣＤＭＡシステムである請求項２７の方法。
【請求項３３】
１つ以上のＴＦＣのそれぞれについて、複数の組合せのそれぞれに対して、要求される送信電力を決定し、各ＴＦＣはデータ送信のためのパラメータ値のセットに対応し、各ＴＦＣのそれぞれの組合せはデータ送信のための特定送信レベルに対応し、前記組合せに対して要求される送信電力および最大利用可能送信電力に基づいて各ＴＦＣのそれぞれの組合せの状態を決定し、それぞれの組合せの前記状態に基づいて、次に来る間隔に対して使用する可能性がある少なくとも１つのＴＦＣのそれぞれのために１つの組合せを選択するように構成された無線通信システムにおけるデジタルシグナルプロセッサ。
【請求項３４】
各ＴＦＣのそれぞれの組合せに対して要求される送信電力を決定し、各ＴＦＣはデータ送信のためのパラメータ値のセットに対応し、各ＴＦＣのそれぞれの組合せはデータ送信のための特定送信レベルに対応し、前記組合せに対して要求される送信電力および最大利用可能送信電力に基づいて各ＴＦＣのそれぞれの組合せの状態を決定し、それぞれの組合せの前記状態に基づいて、次に来る間隔に対して使用する可能性がある１つ以上のＴＦＣのそれぞれのために１つの組合せを選択するように動作するコントローラと、
複数の測定期間に対する基準送信のために要求される前記送信電力に関連する複数の値を記憶するように動作するメモリとを備えた無線通信システムにおける送信機ユニット。
【請求項３５】
前記メモリは各ＴＦＣのそれぞれの組合せについて、前記複数の測定期間に対する値のセットを記憶するように動作する請求項３４の送信機ユニット。
【請求項３６】
前記メモリは各ＴＦＣの２つの組合せについて、前記複数の測定期間に対する値の２セットを記憶するように動作する請求項３４の送信機ユニット。
【請求項３７】
請求項３４の前記送信機ユニットを備えた端末。
【請求項３８】
請求項３４の前記送信機ユニットを備えた基地局。
【請求項３９】
無線通信システムにおけるシグナルプロセッシング装置であって、
各ＴＦＣはデータ送信のためのパラメータ値のセットに対応し、各ＴＦＣのそれぞれの組合せはデータ送信のための特定送信レベルに対応し、１つ以上のＴＦＣのそれぞれについて、複数の組合せのそれぞれに対して、要求される送信電力を決定する手段と、
前記組合せに対して要求される送信電力および最大利用可能送信電力に基づいて各ＴＦＣのそれぞれの組合せの状態を決定する手段と、
それぞれの組合せの前記状態に基づいて、次に来る間隔に対して使用する可能性がある少なくとも１つのＴＦＣのそれぞれのために１つの組合せを選択する手段とを具備するシグナルプロセッシング装置。
【請求項４０】
無線通信システムにおけるデジタルシグナルプロセッサであって、
複数のビンのそれぞれについて、要求される送信電力が最大利用可能送信電力によってサポートされるかどうかを示す各測定期間に対するインジケータを受取とり、
次に来る間隔について、前記ＴＦＣに対して要求される送信電力に基づいて、１つ以上のＴＦＣのそれぞれに対して次に来る間隔に適用可能な特定のビンを、前記複数のビンの中から、識別し、
前記ＴＦＣに適用可能な前記ビンに対して得られたインジケータに基づいて、前記次に来る間隔のために各ＴＦＣの状態を決定し、
各ＴＦＣの前記状態に基づいて、前記次に来る間隔に対して使用する可能性がある１つ以上のＴＦＣを選択するように構成されたデジタルシグナルプロセッサ。
【請求項４１】
無線通信システムにおけるデジタルシグナルプロセッサであって、
各測定期間に対して、データ送信のために利用可能な送信電力を示す値を決定し、
複数の測定期間に対して決定される複数の値に一部基づいて、次に来る間隔に対して１つ以上のＴＦＣのそれぞれの状態を決定し、
それぞれのＴＦＣの前記状態に基づいて、次に来る間隔に対して使用する可能性がある１つ以上のＴＦＣを選択するように構成されたデジタルシグナルプロセッサ。
【発明の詳細な説明】
【技術分野】
【０００１】
本発明は一般的にデータ通信に関係し、より具体的には、無線（例えばＷ−ＣＤＭＡ）通信システムにおける通常および圧縮モードでの使用のためにサポートされるトランスポートフォーマット組合せ（ＴＦＣ）を決定するための技術に関係する。
【背景技術】
【０００２】
無線通信システムは広く配置され音声およびパケットデータサービスを含む各種の通信を提供している。これらのシステムは符号分割多重アクセス（ＣＤＭＡ）、時分割多重アクセス（ＴＤＭＡ）、周波数分割多重アクセス（ＦＤＭＡ）またはその他の多重アクセス技術に基づくことができる。ＣＤＭＡシステムは他の種類のシステムに対していくつかの利点を提供でき、これには増加したシステム容量を含む。ＣＤＭＡシステムは概してＩＳ−９５、ｃｄｍａ２０００およびＷ−ＣＤＭＡ標準仕様のような１つ以上の標準仕様に準拠するように設計されており、これらの標準仕様は技術的に知られておりここに参考のために組み込まれる。
【０００３】
Ｗ−ＣＤＭＡ標準仕様は１つ以上のトランスポートチャネル上でのデータ送信をサポートし、各トランスポートチャネルはデータ送信のために使用できる１つ以上のトランスポートフォーマット（ＴＦ）と関連してもよい。各トランスポートフォーマットはその送信時間間隔にわたってトランスポートフォーマットが適用される送信時間間隔（ＴＴＩ）、データの各トランスポートブロックのサイズ、各ＴＴＩ内のトランスポートブロックの数、所定のＴＴＩにおけるトランスポートブロックに使用される符号化スキーム等の種々の処理パラメータを規定する。所定のトランスポートチャネルのための複数のトランスポートフォーマットの使用により、異なるタイプまたはレートのデータを同じトランスポートチャネル上で送信することができる。任意の所定時において、各トランスポートチャネルに対して１つのトランスポートフォーマットを備える特定のトランスポートフォーマット組合せ（ＴＦＣ）を多数の可能性あるトランスポートフォーマット組合せの中から選択してすべてのトランスポートチャネルのために使用する。
【０００４】
Ｗ−ＣＤＭＡ標準仕様はまたアップリンク上の“圧縮モード”での動作をサポートし、これによって短縮された（すなわち、時間において圧縮された）時間期間内に端末から基地局へデータを送信する。圧縮モードをＷ−ＣＤＭＡシステムにおいて使用すると、システムとアクティブ通信中の（すなわち、トラフィックチャネル上にある）端末は、システムからのデータを失うことなく異なる周波数および／または異なる無線アクセステクノロジー（ＲＡＴ）上で測定を行なうために、一時的にシステムを離れることができる。アップリンクの圧縮モードにおいて、データは端末によってフレーム（１０ミリ秒）の一部だけの間で送信され、フレームの残りの部分（送信ギャップと呼ばれる）は端末が使用して測定を行なうことができる。
【０００５】
Ｗ−ＣＤＭＡ標準仕様にしたがって、圧縮フレームの送信時間の減少は、（１）フレームにおいて送信するデータの量を削減すること、（２）符号化レートを増加すること、または（３）データレートを増加することで達成できる。圧縮フレームにおいて送信するデータ量を削減することは、データ削減は著しいサービスの質の低下という結果になりうるので、音声のような用途には実用的ではない。符号化レートまたはデータレートを増加することは、圧縮フレームのノイズと干渉の合計に対するビットあたりのエネルギ比（Ｅｂ／Ｎｔ）が非圧縮フレームのものと同様であるように圧縮フレームの送信電力を増加すれば、可能である。
【０００６】
上記のように、多数のトランスポートチャネルを同時にサポートすることができ、トランスポートフォーマットのセットを各トランスポートチャネルのために規定することができる。“設定された”トランスポートフォーマット組合せのセットは、そのようなトランスポートフォーマット組合せのそれぞれを目標とするブロック誤りレート（ＢＬＥＲ）を達成するために必要な特定の相対送信電力レベルと関連付けて、トランスポートチャネルのために規定することができる。各トランスポートフォーマット組合せに要求される送信電力は（１）端末が圧縮モードにあるかどうかおよび（２）圧縮モードでの圧縮送信を規定しているパラメータ値に依存する。高いシステムパフォーマンスを達成するために、現在のチャネル状態での端末の最大送信電力によってサポートされる設定されたトランスポートフォーマット組合せ（すなわち、目標とするブロック誤りレートを達成するために要求される電力で送信することができるもの）のみを使用のために選択できるものとして識別すべきである。そしてその後、ひとつの特定のトランスポートフォーマット組合せだけが、このサポートされたトランスポートフォーマット組合せのセットから、次のフレーム（最短のＴＴＩ）境界での実際の使用のために選択される。
【０００７】
それゆえＷ−ＣＤＭＡシステムにおける通常および圧縮モードでの使用のためにサポートされたトランスポートフォーマット組合せを決定する技術への技術的な要求がある。
【発明の概要】
【０００８】
本発明の観点は通常および圧縮モード用のすべての設定されたＴＦＣの中から有効な（すなわち、サポートされた）ＴＦＣを決定するための様々な技術を提供する。これらの技術はＴＴＩが圧縮送信を含むかどうかにかかわらず“ＴＦＣ認定”を正確に実行できるように（様々な形式の）十分な履歴情報を維持する。多数のＴＦＣ認定スキームがここに提供される。これらのスキームはＷ−ＣＤＭＡシステムで規定されたアルゴリズムに関連して使用することができ、これによってＴＦＣが確実に送信できるかどうかの決定はＹ個の以前の測定期間についてＴＦＣに要求される送信電力および端末での最大利用可能送信電力(以下に説明する)に依存する。所定のＴＦＣを確実に送信できるかどうかを決定するために必要な情報はそのＴＦＣの送信電力要求状態を含む。
【０００９】
第１のスキームにおいて、各ＴＦＣの圧縮および非圧縮フレームの各組合せのために送信電力要求状態が維持される。ここで使用されているように、“組合せ”は所定のＴＦＣのおよび所定のＴＦＣ間隔の圧縮および／または非圧縮フレームの特定の組合せを言う。ＴＦＣ間隔はデータがこのＴＦＣとともに送信されるトランスポートチャネルのいずれかのうち最長のＴＴＩである。ここで使用されているように、“トランスポートフォーマット組合せ”または“ＴＦＣ”は設定されたトランスポートチャネル上でデータを送信するために使用することができるトランスポートフォーマットの特定の組合せを言う。各ＴＦＣ選択間隔に対して、各ＴＦＣについて次に来る間隔に適用可能な特定の組合せが識別される。その後、この組合せに基づいて各ＴＦＣのために適切なＴＦＣ状態が識別される。（各ＴＦＣ間隔のために適用可能な組合せが１つだけあり、この組合せに対応するすべてのＴＦＣの状態が決定される。）有効なＴＦＣのセットはそれらが適切な状態（例えばＷ−ＣＤＭＡで規定されたサポートされた状態およびおそらく過剰電力状態のもの）にあるかどうかに基づいて最終的に決定される。
【００１０】
第２のスキームにおいて、通常および圧縮モード用の各ＴＦＣのために２つの送信電力要求状態、すなわち、（送信ギャップのない）通常モード用の一方の状態および最大の送信電力を要求する組合せの他方の状態（例えば、設定された送信ギャップパターンシーケンスに基づき、起こり得る最悪のケース、または最悪のケース）が維持される。各ＴＦＣ選択間隔について、各ＴＦＣのために適用可能な組合せが識別され、その後、有効なＴＦＣが、それらが適切な状態にあるかどうかに基づいて、決定される。
【００１１】
第３のＴＦＣ認定スキームにおいて、通常および圧縮両方のモード用の各ＴＦＣのために単一の送信電力要求状態が維持される。この単一の送信電力要求状態は圧縮モード相対電力要求、αｃｍ，ｉについて各ＴＦＣのために維持することができ、このαｃｍ，ｉは通常モードのための相対電力要求、αｒｅｆ，ｉ掛けるオフセットαｏｆｆｓｅｔ，ｉ（すなわち、αｃｍ，ｉ＝αｒｅｆ，ｉ・αｏｆｆｓｅｔ，ｉ）として規定することができる。
【００１２】
第４のスキームにおいて、通常および圧縮モード用のすべてのＴＦＣの相対要求送信電力の合計レンジをカバーする“ビン”のセットのために、多数の送信電力要求状態が維持される。各ＴＦＣのそれぞれの組合せは特定の相対要求送信電力と関連付けられ、それゆえ特定のビンと関連付けられ、このビンのために維持された送信電力要求状態をさらに利用することができる。
【００１３】
第５のスキームにおいて、Ｙ個の測定期間に対して、相対電力要求“閾値”のセットが決定されて維持される。各測定期間の相対電力要求閾値、αｔｈ（ｋ）は基準送信のために要求される送信電力、Ｐｒｅｆ（ｋ）に対する最大利用可能送信電力、Ｐｍａｘの比（すなわち、αｔｈ（ｋ）＝Ｐｍａｘ／Ｐｒｅｆ（ｋ））として規定することができる。その後、次に来る間隔のためのＴＦＣ相対要求送信電力と、相対電力要求閾値のセットと、各ＴＦＣのそれぞれの組合せのために維持されたある（例えば２ビットの）状態およびタイマとに基づいて、各ＴＦＣの状態を決定することができる。
【００１４】
これらの様々なスキームならびにそれらの変形および本発明の様々なその他の観点および実施形態は以下にさらに詳細に記述する。発明は、以下にさらに詳細に記述するように、発明の様々な観点、実施形態および特徴を実施する、方法、プログラムコード、デジタルシグナルプロセッサ、受信機ユニット、端末、基地局、システムおよびその他の装置ならびに要素をさらに提供する。
【００１５】
本発明の特徴、目的および利点は同じ参照符号が全体に渡って対応的に同定する図面と共に考慮されたとき以下に述べる詳細な説明からより明らかになるであろう。
【詳細な説明】
【００１６】
ここに記載されたサポートされたトランスポートフォーマット組合せを決定する技術は様々なＣＤＭＡシステムで使用してもよい。これらの技術はまたダウンリンク、アップリンクまたはその両方に適用してもよい。明確にするため、発明の様々な観点および実施形態は特にＷ−ＣＤＭＡシステムでのアップリンクのために記述する。
【００１７】
図１は基地局１０４と端末１０６の実施形態の簡略化されたブロック図であり、基地局１０４と端末１０６は発明の様々な観点および実施形態を実行できる。Ｗ−ＣＤＭＡにおいて、基地局はＵＭＴＳ無線アクセスネットワーク（ＵＴＲＡＮ）の一部であり端末をユーザ装置（ＵＥ）とも呼ぶ。他の標準仕様およびシステムにおいては基地局および端末のために他の用語も用いる。
【００１８】
アップリンク上において、端末１０６では、送信（ＴＸ）データプロセッサ１１４はデータ源１１２からのユーザ特定データ、コントローラ１３０からのメッセージ等の異なるタイプのトラフィックを受信する。その後、送信データプロセッサ１１４は１つ以上の符号化スキームに基づいてデータおよびメッセージをフォーマットおよび符号化し符号化されたデータを提供する。各符号化スキームは巡回冗長検査（ＣＲＣ）符号化、畳み込み符号化、ターボ符号化、ブロック符号化およびその他の符号化、またはまったく符号化なしのいずれかの組合せを含んでもよい。一般的には、異なるタイプのトラフィックは異なる符号化スキームを用いて符号化する。
【００１９】
その後、符号化されたデータは変調器（ＭＯＤ）１１６に提供されさらに処理されて変調されたデータが生成される。Ｗ−ＣＤＭＡに関しては、変調器１１６による処理は（１）符号化されたデータを直交可変拡散率（ＯＶＳＦ）符号で“拡散”し、ユーザ特定データおよびメッセージを１つ以上の物理チャネル上にチャネル化すること、および（２）チャネル化されたデータをスクランブリング符号で“スクランブリング”することを含む。ＯＶＳＦ符号での拡散はＩＳ−９５およびｃｄｍａ２０００におけるウォルシュ符号でのカバーリングに等しく、スクランブリング符号でのスクランブリングはＩＳ−９５およびｃｄｍａ２０００におけるショート擬似ランダムノイズ（ＰＮ）シーケンスでの拡散に等しい。その後、変調されたデータは送信機（ＴＭＴＲ）１１８に提供されて調整され（例えば、１つ以上のアナログ信号に変換され、増幅され、フィルタ処理され、および直角位相変調され）アンテナ１２０を通じ無線通信チャネルを介して１つ以上の基地局への送信に適したアップリンク変調信号を生成する。
【００２０】
基地局１０４では、アップリンク変調信号はアンテナ１５０で受信され受信機（ＲＣＶＲ）１５２へ提供される。受信機１５２は受信した信号を調整し（例えば、フィルタ処理し、増幅しおよびダウンコンバートし）、調整した信号をデジタル化しデータサンプルを提供する。その後、復調器（ＤＥＭＯＤ）１５４はデータサンプルを受信して処理し回復したシンボルを提供する。Ｗ−ＣＤＭＡに関しては、復調器１５４による処理は（１）端末で使用した同一のスクランブリング符号でデータサンプルを逆スクランブリングすること、（２）逆スクランブリングされたサンプルを逆拡散し受信したデータおよびメッセージを適切な物理チャネル上にチャネル化すること、および（３）（おそらく）受信信号から回復したパイロットでチャネル化されたデータをコヒーレントに復調することを含む。その後、受信（ＲＸ）データプロセッサ１５６はシンボルを受信して復号しアップリンク上で端末が送信したユーザ特定データおよびメッセージを回復する。
【００２１】
コントローラ１３０および１６０は端末および基地局での処理をそれぞれ制御する。各コントローラをまたここに記載されている使用のためトランスポートフォーマット組合せを選択するプロセスのすべておよび一部を実行するように設計してもよい。コントローラ１３０および１６０が要求するプログラムコードおよびデータをメモリ１３２および１６２にそれぞれ記憶してもよい。
【００２２】
図２はＷ−ＣＤＭＡ標準規格にしたがったアップリンクデータ送信のための端末における信号処理の図である。Ｗ−ＣＤＭＡシステムは１つ以上のトランスポートチャネル上でのデータ送信をサポートし、各トランスポートチャネルは１つ以上のサービスのためのデータを搬送することができる。これらのサービスは音声、ビデオ、パケットデータ等を含んでもよい。最初に上位シグナリングレイヤーでの１つ以上のトランスポートチャネルとして送信すべきデータが処理される。その後、トランスポートチャネルは端末に割当てられた１つ以上の物理チャネルへマッピングされる。Ｗ−ＣＤＭＡシステムにおいては、通信期間に対して一般的にアップリンク専用物理チャネル（アップリンクＤＰＣＨ）が端末に割当てられる。アップリンクＤＰＣＨはトランスポートチャネルデータを搬送するために使用されるアップリンク専用物理データチャネル（ＤＰＤＣＨ）および制御データ（例えば、パイロット、電力制御情報等）を搬送するために使用されるアップリンク専用物理制御チャネル（ＤＰＣＣＨ）を備える。
【００２３】
各トランスポートチャネルのためのデータはそのトランスポートチャネルのために選択されたトランスポートフォーマット（ＴＦ）（任意の所定時においても単一のＴＦが選択される）に基づいて処理する。各トランスポートフォーマットはその送信時間間隔にわたってトランスポートフォーマットが適合する送信時間間隔（ＴＴＩ）、各トランスポートブロックのデータのサイズ、各ＴＴＩ内のトランスポートブロックの数、ＴＴＩのために使用される符号化スキーム等のような様々な処理パラメータを規定する。ＴＴＩは１０ミリ秒、２０ミリ秒、４０ミリ秒または８０ミリ秒として特定してもよい。ＴＴＩのためのトランスポートフォーマットによって特定されるように、ＮＢ個の等しいサイズのトランスポートブロックを有するトランスポートブロックセットを送信するために各ＴＴＩを使用してもよい。各トランスポートチャネルのために、トランスポートフォーマットはＴＴＩ間でダイナミックに変更することができ、トランスポートチャネルのために使用することができるトランスポートフォーマットのセットをトランスポートフォーマットセット（ＴＦＳ）と呼ぶ。
【００２４】
図２に示すように、各トランスポートチャネルのためのデータが、各ＴＴＩのための１つ以上のトランスポートブロックで、それぞれのトランスポートチャネル処理セクション２１０に供給される。各処理セクション２１０内では、ブロック２１２において、各トランスポートブロックにおけるデータを使用してＣＲＣビットのセットを得る。ＣＲＣビットはランスポートブロックに付加して、基地局でブロック誤り検出するためにその後使用してもよい。その後、ブロック２１４において、各ＴＴＩのための１つ以上のＣＲＣコード化されたブロックを連続的に一体に連結する。連結後の合計ビット数がコードブロックの最大サイズより大きい場合は、ビットは多数の（等しいサイズの）コードブロックにセグメント化される。最大コードブロックサイズは現在のＴＴＩに対して使用するために選択した特定の符号化スキーム（例えば、畳み込み、ターボまたは符号化なし）によって決定し、そのスキームはＴＴＩのためのトランスポートチャネルのトランスポートフォーマットにおいて特定される。その後、ブロック２１６で、各コードブロックは選択された符号化スキームで符号化されまたはまったく符号化されずに、符号化されたビットを生成する。
【００２５】
その後、ブロック２１８において、符号化およびパディングされたビットを確実に同じサイズの整数のデータセグメントにセグメント化できるように、符号化されたビットをパディングすることにより無線フレーム均等化を行なう。その後、ブロック２２０において、特定のインターリービングスキームにしたがって、各ＴＴＩのためのビットはインターリービングされて時間ダイバーシティを提供する。Ｗ−ＣＤＭＡ標準規格にしたがって、トランスポートフォーマットで特定されたＴＴＩに対してインターリービングを実行し、そのＴＴＩは１０ミリ秒、２０ミリ秒、４０ミリ秒または８０ミリ秒であってもよい。ブロック２２２において、選択されたＴＴＩが１０ミリ秒より長い場合は、ＴＴＩ内のインターリーブされたビットがセグメント化され、連続したトランスポートチャネルフレーム上にマッピングされる。各トランスポートチャネルフレームは（１０ミリ秒の）物理チャネル無線フレーム期間（または単に“フレーム”）にわたって送信されるＴＴＩの一部に相当する。
【００２６】
その後、ブロック２２４で、各フレームのすべてのトランスポートチャネルのためのトランスポートチャネルフレームに対してレートマッチングが行なわれる。レートマッチングは上位シグナリングレイヤーによって割当てられトランスポートフォーマットで特定されたレートマッチング属性にしたがって行われる。アップリンク上では、ビットは繰り返されまたはパンクチャ（すなわち、削除）されて、送信されるビットの数を利用可能なビットポジションの数にマッチングする。
【００２７】
その後ブロック２３２において、すべてのアクティブなトランスポートチャネル処理セクション２１０からレートマッチングされたトランスポートチャネルフレームが、符号化合成トランスポートチャネル（ＣＣＴｒＣＨ）へ連続的に多重化される。１つより多い物理チャネルを使用する場合は、ブロック２３４で物理チャネルの中でビットがセグメント化される。その後、ブロック２３６で、各物理チャネルのための各フレームにおけるビットがさらにインターリーブされ、時間ダイバーシティをさらに提供する。ブロック２３８において、インターリーブされたビットは、割当てられた物理チャネルへマッピングされる。図２に示した信号処理を図１における送信データプロセッサ１１４で行ってもよい。
【００２８】
図３は異なるトランスポートチャネルのために使用可能な多数の異なるトランスポートフォーマットを図示する。上記のように、多数のトランスポートチャネルを同時にサポートすることができ、これは３ＧＰＰ団体から入手可能でここに参考のため組み込まれる３ＧＰＰドキュメント番号２５.３０６−３２０（セクション５.１）に記載されている。各トランスポートチャネルはトランスポートチャネルのための使用に利用可能な１つ以上のトランスポートフォーマットを含むそれぞれのトランスポートフォーマットセットと関連付けてもよい。各トランスポートチャネルのためのトランスポートフォーマットセットは上位レイヤシグナリングを通じて構成される。Ｗ−ＣＤＭＡのためのトランスポートフォーマットはここに参考のため組み込まれる３ＧＰＰドキュメント番号２５.３０２−３９０（セクション７）に規定されている。
【００２９】
図３に示されている例において、１から４のトランスポートチャネルはそれぞれ１０ミリ秒、２０ミリ秒、４０ミリ秒および８０ミリ秒のＴＴＩに関連する。各トランスポートチャネルの各ＴＴＩのために、特定の数のトランスポートブロックを送信してもよく、各ブロックは、ＴＴＩのためのトランスポートチャネルのトランスポートフォーマットによって規定されるように、特定の数のビットを含む。トランスポートフォーマットは各トランスポートチャネルのためにＴＴＩ間で変更してもよく、各ＴＴＩのために使用する特定のトランスポートフォーマットがトランスポートチャネルに関連したトランスポートフォーマットのセットから選択される。
【００３０】
図３に示すように、特定のトランスポートフォーマット組合せ（ＴＦＣ）は、すべてのアクティブなトランスポートチャネルの中から最短のＴＴＩ（例えば、図３で示した例では１０ミリ秒）に相当する、各ＴＦＣ選択間隔に対して適用可能である。各ＴＦＣはアクティブなトランスポートチャネルのそれぞれに対する１つの特定のトランスポートフォーマットの特定の組合せである。ＴＦＣは間隔毎に変化し、各間隔のために使用するＴＦＣを“設定された”ＴＦＣのセットの中から選択することができる。このトランスポートフォーマット組合せセットはこうしてアクティブなトランスポートチャネルに対して使用するために選択できるすべての可能性あるＴＦＣを含む。
【００３１】
各ＴＦＣ選択間隔に対して、設定されたＴＦＣのセットの中から特定のＴＦＣを使用するために選択する。ＴＦＣ選択は２つのパートのプロセスで行なう。ここではＴＦＣ認定またはＴＦＣ削除と呼ぶ第１のパートでは、端末の最大利用可能送信電力、Ｐｍａｘの場合に、設定されたＴＦＣのうちどれが確実に送信できるかを端末は決定し、Ｐｍａｘは端末の最大利用可能送信電力またはシステムが端末に課している最大許容送信電力のいずれかであってよい。これらのＴＦＣを“有効な”または“サポートされた”ＴＦＣと呼ぶ。第２のパートでは、１組の基準に基づき、有効なＴＦＣの１つを実際の使用のために選択する。これらの２つのパートのそれぞれを以下にさらに詳細に記述する。
【００３２】
図４はＷ−ＣＤＭＡによって規定された、設定されたＴＦＣのそれぞれの可能性ある状態の状態図である。状態図は３つの状態、サポートされた状態４１０、過剰電力状態４２０およびブロックされた状態４３０を含む。各ＴＦＣはある基準を満たすかどうかに依存してこれらの３つの状態のいずれかひとつであってもよい。
【００３３】
特定の性能レベルを達成するために、特定の目標とするノイズプラス干渉に対するビットあたりのエネルギ比（Ｅｂ／Ｎｔ）に基地局での受信信号品質を維持するように、端末からのデータ送信のための送信電力は電力制御機構で制御される。この目標Ｅｂ／Ｎｔ（セットポイントとも呼ぶ）は一般的に望ましい性能レベルを達成するように調整され、望ましい性能レベルは、特定（例えば、１％）のブロック誤りレート（ＢＬＥＲ）またはフレーム誤りレート（ＦＥＲ）によって定量化することができる。送信されるデータビットの合計数は一般的にＴＦＣ毎に異なるので、セットポイントを達成するために異なるＴＦＣに対して異なる量の送信電力が一般的に要求される。
【００３４】
各ＴＦＣは確実に送信されるために（すなわち、セットポイントを達成するために）特定量の電力を必要とする。各ＴＦＣのために要求される送信電力は基準送信を確実に送信するために要求される送信電力Ｐｒｅｆに対して正規化され、基準送信はＤＰＣＣＨ上での送信または基準ＴＦＣの送信であってもよい。電力レベルＰｒｅｆは電力制御機構によって継続的に調整され、望ましい性能レベル（例えば、１％のＢＬＥＲ）を達成する。その後、各ＴＦＣは、ＴＦＣのために要求される送信電力を示す、それぞれの相対電力要求αｉと関連付けてもよい。実施形態では、相対電力要求αｉは基準送信のための送信電力に対するＴＦＣの要求送信電力の比として規定される。この場合、所定のＴＦＣは、以下の条件を満たす場合、確実に送信することができる。
【数１】
2005510120.tif 000003
ここで、αｉ・Ｐｒｅｆはｉ番目のＴＦＣのために要求される送信電力を表す。各ＴＦＣの相対電力要求αｉは、ここに参考のため組み込まれる３ＧＰＰドキュメント番号２５．２１４−３６０（セクション５．１．２．５．３）に記載されているように、ＴＦＣのビットレートおよび基準送信のためのビットレートに基づいて決定してもよい。
【００３５】
Ｗ−ＣＤＭＡ標準規格にしたがうと、ＴＦＣは削除基準を満たすとサポートされた状態４１０から過剰電力状態４２０へ移行し、これは最後のＹ個の測定期間のうちＸ個よりも多くに対してαｉ・Ｐｒｅｆ>Ｐｍａｘである場合に発生し、ここでＸおよびＹならびに測定期間はＷ−ＣＤＭＡ標準規格で規定することができる。その後、ＴＦＣはブロッキング基準を満たすと、過剰電力状態４２０からブロックされた状態４３０へ移行し、これはＴＦＣが特定の時間期間Ｔｂｌｏｃｋより長い間過剰電力状態にある場合に発生し、ＴｂｌｏｃｋはＷ−ＣＤＭＡ標準規格によって規定される。ＴＦＣは回復基準を満たすと過剰電力状態またはブロックされた状態からもとのサポートされた状態へ移行し、これは最後のＹ個の測定期間の間、
【数２】
2005510120.tif 000004
である場合に発生する。状態図および状態間の移行のための基準は、ここに参考のため組み込まれる３ＧＰＰドキュメント番号２５．３２１−３９０（セクション１１．４）および番号２５．１３３−３７０（セクション６．４）にそれぞれ記載されている。
【００３６】
図４に示した状態図は設定されたＴＦＣのそれぞれのために維持される。各ＴＦＣ選択間隔に対して、サポートされた状態のすべてのＴＦＣが有効なＴＦＣとして識別され、ブロックされた状態のすべてのＴＦＣは次に来る間隔のための使用から削除する。特定の実行に依存して、過剰電力状態におけるＴＦＣは有効なＴＦＣとして識別してもよくまたは削除してもよい。ＴＦＣはアクティブトランスポートチャネルの最長ＴＴＩの境界のみでブロックされるだけであり、電力制約に基づいて決定される有効なＴＦＣのセットは最長ＴＴＩの途中では変わらないことも注意することができる。
【００３７】
ＴＦＣ認定を行なうための１つの実行において、各ＴＦＣのためにビットのセットが維持され、各ビットは最後のＹ個の測定期間のそれぞれの１つのＴＦＣに対してαｉ・Ｐｒｅｆ>Ｐｍａｘであるかどうかを示すインジケータを記憶する。各測定期間について、各ＴＦＣのために式（１）が計算され、計算の結果に基づき新たなインジケータが決定されＴＦＣのために維持されるビットの１つに記憶される。各ＴＦＣのために、最後のＹ個の測定期間について決定されたＹ個のインジケータに基づき、削除、ブロッキングおよび回復基準が計算され、その結果ＴＦＣの状態が更新される。ＴＦＣの現在の状態およびＴＦＣのＹ個のインジケータのセットは集合的にＴＦＣ送信電力要求状態と呼ぶ。この実行のために、ＮＴセットのＹ＋２ビット（インジケータのためのＹビットとＴＦＣ状態のための２ビット）はＮＴ個の異なるＴＦＣの状態を維持するために十分であろう。各送信電力要求状態のためにいくつかの追加ビットがまた提供され、過剰電力状態におけるタイマが維持されてもよい。例えば、Ｔｂｌｏｃｋが１２０ミリ秒のオーダであれば、４つの追加ビットで十分であろう。
【００３８】
どのトランスポートフォーマットがＴＦＣに含まれているかに関係なく、３つの基準のそれぞれの結果は所定の相対電力要求αｉについて同一である。設定されたＴＦＣの数は大きくてもよい。（例えば、１０２４個ほどのＴＦＣを含むようにひとつのＴＦＣセットを規定してもよい）。しかしながら、（量子化後の）固有の相対電力要求の数は設定されたＴＦＣの数よりも著しく少なくてもよい。この場合、以下に記載するように、ＮＴ個の異なるＴＦＣに対するＮＴセットのＹインジケータおよびＮＴ個の２ビット状態を維持する代わりに、ＮＡ個の固有相対電力要求のためにＮＡセットのＹインジケータおよびＮＡ個の２ビット状態を維持してもよい。その後、各ＴＦＣは特定の相対電力要求αｉと関連付けてもよい。各ＴＦＣ選択間隔に対して、相対電力要求と関連し、サポートされた状態（あるいは過剰電力状態）にある、すべての設定されたＴＦＣを有効なＴＦＣとして識別してもよい。
【００３９】
上記のように、Ｗ−ＣＤＭＡ標準仕様はアップリンク上で圧縮モードをサポートし、これによって端末がユーザ特定データを短縮された時間期間内で送信する。より効率的にシステムリソースを分配するためのスキームの一部として、システムは端末に命令して、端末がサポートすることができる他の周波数および／または他の無線アクセス技術（ＲＡＴ）上の基地局を監視させることができる。端末が端末の能力に基づき必要として要求された測定を行なうことができるために、システムは端末に圧縮モードで動作するように命令することができる。
【００４０】
図５はＷ−ＣＤＭＡ標準仕様にしたがった圧縮モード送信を図示する図である。圧縮モードでは、それぞれ５１２ａおよび５１２ｂである交互の送信ギャップパターン１および２からなる、送信ギャップパターンシーケンス５１０にしたがって、端末からユーザ特定データが送信される。各送信ギャップパターン５１２は、ゼロまたはそれより多くの非圧縮フレームが続くひと続きの１つ以上の圧縮フレームを備える。各圧縮フレームは１つ以上の圧縮送信と送信ギャップのすべてまたは一部とを含む。各送信ギャップは完全に単一の（１０ミリ秒の）フレーム内にあってもよくまたは２つのフレームにまたがってもよい。各圧縮フレームのためのデータは圧縮送信で送信され、各非圧縮フレームのためのデータは全フレームにわたって送信される。各フレームは０から１４の番号が付けられた１５の等しいスロットにさらに分割され、各スロットは０．６６７ミリ秒の期間を有する。
【００４１】
各送信ギャップパターンのための圧縮フレームのひと続きは１つまたは２つの送信ギャップ５１４によって中断される圧縮データ送信を含む。送信ギャップパターンシーケンス５１０のためのパラメータは以下のとおりである。
・ ＴＧＳＮ（送信ギャップ開始スロット番号）−送信ギャップパターン（スロット１から１４）の第１の無線フレーム内の第１の送信ギャップスロットのスロット番号。
・ ＴＧＬ１（送信ギャップ長さ１）−送信ギャップパターン（スロット１から１４）内の第１の送信ギャップの期間。最大で７つの送信ギャップスロットを１つのフレームに含むことができるので、もしＴＧＬ１>８である場合、送信ギャップのためのスロットを２つのフレームにわたって配分する必要がある。
・ ＴＧＬ２（送信ギャップ長さ２）−送信ギャップパターン（スロット１から１４）内の第２の送信ギャップの期間。ＴＧＬ１と同じ制限が適用になる。
・ ＴＧＤ（送信ギャップ距離）−送信ギャップパターン（１５から２６９のスロット、または１からほぼ１８フレーム）内の２つの連続する送信ギャップの開始スロット間の期間。
・ ＴＧＰＬ１（送信ギャップパターン長さ１）−送信ギャップパターン１（１から１４４フレーム）の期間。
・ ＴＧＰＬ２（送信ギャップパターン長さ２）−送信ギャップパターン２（１から１４４フレーム）の期間。
圧縮モードは、すべてここに参考のため組み込まれる、ドキュメント番号３ＧＰＰ  ＴＳ  ２５．２１２−３７０（セクション  ４．４）、２５．２１３−３６０（セクション  ５．２．１および５．２．２）および２５．２１５−３８０（セクション  ６．１）にさらに記載されている。
【００４２】
図６はＷ−ＣＤＭＡ標準規格でサポートされた圧縮モードでのデータ送信を図示する図である。図６に示す例では、非圧縮フレームｋ、ｋ＋２およびｋ＋３は、これらの非圧縮フレームに使用するために選択したＴＦＣに要求される特定の送信電力αｉ・Ｐｒｅｆで送信される。送信ギャップがあるため、圧縮フレームｋ＋１のデータは短縮された時間期間内で送信される。圧縮フレームに要求されるＥｂ／Ｎｔを達成するために、圧縮モード用のデータレートにおける増加に関連した量だけ圧縮フレームｋ＋１の送信電力を増加させる。
【００４３】
送信ギャップの存在は所定のＴＦＣを確実に送信するために要求される電力量に影響を与えるため、圧縮モードはＴＦＣ選択プロセスに直接の影響がある。ＴＴＩが圧縮フレームを含む場合、設定されたＴＦＣの相対電力要求αｉのそれぞれは、このＴＴＩに含まれる送信ギャップの詳細に依存して、ある特定量だけ増加する。したがって、Ｙ個の以前の測定期間の非圧縮フレームについてＹ個のインジケータを得た場合、これらのインジケータは圧縮フレームについては有効ではないであろう。
【００４４】
圧縮モードでは、このように多数の圧縮および／または非圧縮フレームの“組合せ”が各ＴＦＣのために可能であってもよい。このような組合せのそれぞれは、所定のＴＦＣ間隔のＴＦＣのために１つ以上のアクティブトランスポートチャネル上で送信される圧縮および／または非圧縮フレームの特定の組合せに相当する。ＴＦＣ間隔はそのトランスポートチャネル上でデータがこのＴＦＣによって送信されるトランスポートチャネルのいずれかのうち最長のＴＴＩである。各組合せはさらに特定の相対要求送信電力レベルに関連付けられる。２つの組合せは、これらが異なる相対送信電力要求と関連する場合、所定のＴＦＣに対して異なっていると考えられる。これは、そのトランスポートチャネル上でデータがこのＴＦＣによって送信されるトランスポートチャネルの１つのＴＴＩ長さのいずれかに対して、このＴＴＩにわたる送信ギャップの合計が２つの“組合せ”について異なる場合、一般的に当てはまる。
【００４５】
各ＴＦＣに対するの特定の数の可能性ある組合せは、（１）アクティブトランスポートチャネルのために使用される送信ギャップパターンの数、（２）トランスポートチャネルのＴＴＩ、（３）送信ギャップ長、（４）各パターンの送信ギャップ間の距離、および（５）異なるパターンの周期性（例えば、他のパターンに関連する各パターンの“スライド”）のような様々な要因に依存する。
【００４６】
例として、以下のパラメータで特定の圧縮モードのケースを検討する。
・ トランスポートチャネルに影響する、物理チャネルに対する３つのアクティブ圧縮モードパターン
・ すべての設定された４０ミリ秒のＴＦＣにわたる平均最長ＴＴＩ長
・ 各パターンに対する単一送信ギャップ長（すなわち、送信ギャップ１および２に対して同じ長さ）
・ 異なるパターンに対する異なる送信ギャップ長（すなわち、異なるパターンの送信ギャップ１に対して異なる長さ）および
・ 送信ギャップパターンの１つに関して、送信ギャップ間の距離は２０ミリ秒である。
上記のケースに対して、各ＴＦＣの圧縮モード用の異なる組合せの平均数は１１個であることを示すことができ、これは３個（単一送信ギャップ）プラス３個（異なるパターンからの２つの送信ギャップ）プラス１個（同じパターンからの２つの送信ギャップ）プラス１個（異なるパターンからの３つの送信ギャップ）プラス２個（同じパターンからの２つの送信ギャップおよびその他のパターンからの１つ）プラス１個（４つの送信ギャップ、２つは同じパターンから）を含む。このように、この特定の圧縮モードのケースに対して、設定されたＴＦＣのそれぞれのために１２個の異なる組合せ（すなわち、圧縮モード用の１１個の組合せおよび通常モード用の１つ）が可能である。上記の仮定に基づいて、これらの組合せのそれぞれは異なる累積送信ギャップ長さ、およびそれゆえに、異なる相対電力要求αに対応するであろう。
【００４７】
発明の観点は、圧縮モードおよび通常モード用のすべての設定されたＴＦＣの中から有効な（すなわち、サポートされた）ＴＦＣを決定するための様々な技術を提供する。これらの技術は（以下に記載するように様々なフォームで）十分な履歴情報を維持し、ＴＴＩが圧縮送信を含むかどうかにかかわらず、ＴＦＣ認定を正確に行なうことができる。多数のＴＦＣ認定スキームが以下に記載される。Ｗ−ＣＤＭＡに規定されかつ図４に記載されているアルゴリズムに関連してこれらのスキームを適用してもよく、これによってＴＦＣを確実に送信できるかどうかの決定はＹ個の以前の測定期間に対するＴＦＣの要求送信電力および最大利用可能送信電力に依存する。
【００４８】
第１のＴＦＣ認定スキームにおいて、圧縮モードを使用する場合、多数の送信電力要求状態が各ＴＦＣの多数の組合せに対して維持され、上記のとおり状態の数はＴＦＣの異なる組合せの数に等しい。所定のＴＦＣの異なる組合せは確実な送信のために異なる送信電力レベルを要求し、したがって異なる相対電力要求
【数３】
2005510120.tif 000005
と関連する。各ＴＦＣの異なる組合せは事前に決定してもよく、その後、対応する相対電力要求
【数４】
2005510120.tif 000006
を各組合せのために決定してもよい。
【００４９】
もし圧縮および通常モード用の各ＴＦＣの異なる組合せの平均数がＮＣであり、設定されたＴＦＣの数がＮＴである場合、すべてのＴＦＣのすべての組合せのためのインジケータに必要なビット数はＮＣ・ＮＴ・Ｙである。例えば、ＴＦＣセットが１２８個のＴＦＣ（例えば、３８４ｋｂｐｓクラスのＵＥ）を含み各ＴＦＣの異なる組合せの平均数が１２の場合、圧縮モード用の１１個の異なる組合せおよび通常モード用の１つの組合せに対するインジケータを記憶するために１２・１２８・Ｙ＝１５３６・Ｙビットを使用することができる。
【００５０】
図７は、第１のＴＦＣ認定スキームにしたがって、システムによってサポートされかつ使用するために選択できるＴＦＣを決定するプロセス７００の実施形態の流れ図である。最初に、ステップ７１２において、設定されたＴＦＣのそれぞれに対して可能性ある異なる組合せが識別される。このような組合せのそれぞれは、データ送信のために使用される圧縮および／または非圧縮フレームの特定の組合せに相当し、望ましい性能レベルを達成するために要求される特定の送信電力レベルに関連する。データ送信のために通常モードだけを使用する場合、各ＴＦＣについて１つの組合せだけが存在する（すなわち、送信ギャップはない）。しかしデータ送信のために圧縮モードを使用する場合、各ＴＦＣについて、圧縮および／または非圧縮フレームの複数の組合せが可能であり、ステップ７１２において識別される。各ＴＦＣの異なるＴＦＣの数は、上記の通り、トランスポートチャネルの圧縮モード送信のために規定されるパラメータ値に依存する。
【００５１】
その後ステップ７１４で、各ＴＦＣのそれぞれの組合せに関連する相対電力要求
【数５】
2005510120.tif 000007
が決定される（すなわち、
【数６】
2005510120.tif 000008
はｉ番目のＴＦＣのｊ番目の組合せに対する相対電力要求である）。相対電力要求は、組合せを使用するために選択した場合、この組合せのために要求される相対送信電力を示す。各ＴＦＣについて、圧縮モード用の各組合せに対する相対電力要求
【数７】
2005510120.tif 000009
は通常モード用の組合せに対する相対電力要求よりも大きく、相対電力要求における差は圧縮モードでの圧縮フレームのデータレートおよび通常モードでの非圧縮フレームのデータレートに関連する。特に、通常モード用の相対電力要求は３ＧＰＰドキュメント番号２５．２１４−３６０、セクション  ５．１．２．５．３に記載され、圧縮モード用はセクション  ５．１．２．５．４に記載されている。ステップ７１２および７１４は圧縮モードに入るとすぐに行なうことができる設定ステップである。
【００５２】
その後、各測定期間に対して各ＴＦＣのそれぞれの組合せの状態が更新される。これはステップ７２２で各ＴＦＣのそれぞれの組合せに対するインジケータを得ることで（例えば、
【数８】
2005510120.tif 000010
の比較を行なうことで）達成できる。その後ステップ７２４で、各ＴＦＣのそれぞれの組合せの状態は、新たに得られたインジケータに一部基づいて更新され、図４に示す状態図に基づいて決定することができる。
【００５３】
その後、すべての設定されたＴＦＣのサポートされた組合せが各ＴＦＣ選択間隔での可能性ある使用のために選択される。これはステップ７３２で、ＮＣ個の異なる組合せの中から各ＴＦＣに対して次に来る間隔に適用可能な特定の組合せを識別することで達成できる。ステップ７３２で、ＮＴ個の組合せがＮＴ個のＴＦＣに対して次に来る間隔に適用可能として識別される。その後ステップ７３４で、サポートされた状態（およびおそらく過剰電力状態）にあるすべての適用可能な組合せのＴＦＣが有効なＴＦＣとして選択される。
【００５４】
第２のＴＦＣ認定スキームにおいて、２つの送信電力要求状態が通常および圧縮モード用の各ＴＦＣのために維持される。圧縮モードにおいて各ＴＦＣのために多数の組合せが可能であるが、最悪のケースの送信電力要求は圧縮フレームにおいて送信ギャップが１５スロットの中から７スロットを表すとき発生する。この場合、圧縮フレームのデータは全１５スロットの代わりに８スロット内で送信する必要があり、圧縮フレームに要求されるＥｂ／Ｎｔを達成するためにほぼ２倍の量の送信電力（または３ｄＢの追加送信電力）が必要である。このように、各ＴＦＣのために、単一の追加送信電力要求状態を、圧縮モード用のＴＦＣの最悪のケースの送信電力要求に相当する、相対電力要求αｍａｘ，ｉについて維持してもよい。実施形態においては、圧縮モード用の相対電力要求αｍａｘ，ｉを通常モード用の相対電力要求αｉより約２倍（または３ｄＢ）高く設定してもよい。通常および最悪のケースの相対電力要求の間の差としてその他の値を（３ｄＢの代わりに）用いてもよく、これは発明の範囲内である。
【００５５】
各ＴＦＣの２つの送信電力要求状態を（第１のＴＦＣ認定スキームによって維持されたＮＣ個の状態の代わりに）維持すると、バッファリングおよび処理要求を著しく低減することができる。上記の例としてＮＣ＝１２を用いると、第１のスキームによって維持した１２個の状態に対して第２のスキームによって各ＴＦＣのために２つの状態だけを維持するので、バッファリングおよび処理において６から１への低減を達成する。
【００５６】
圧縮モードでのすべての可能性ある組合せの各ＴＦＣに対して単一の追加相対電力要求αｍａｘ，ｉを使用すると、圧縮フレームでのＴＴＩのためのＴＦＣの悲観的な選択という結果になる。これはαｍａｘ，ｉよりも小さい相対電力要求での選択はαｍａｘ，ｉでも表されるからである。別の実施形態では、圧縮モードでのすべての可能性ある組合せのために要求される平均送信電力に相当する平均相対電力要求αａｖｇ，ｉについて、追加送信電力要求状態が維持されてもよい。この平均相対電力要求αａｖｇ，ｉは所定のＴＦＣのすべての可能性ある組合せのための相対電力要求の平均として計算してもよく、それは以下のように表すことができる。
【数９】
2005510120.tif 000011
あるいは、平均相対電力要求αａｖｇ，ｉを所定のＴＦＣのすべての可能性ある組合せに対する相対電力要求の加重平均として計算してもよく、それは以下のように表すことができ、
【数１０】
2005510120.tif 000012
ここで
【数１１】
2005510120.tif 000013
はｉ番目のＴＦＣのｊ番目の組合せの出現度数であってもよい。一般的に、加重値の合計は１（１．０）に等しい。各ＴＦＣに対して、端末が、加重値
【数１２】
2005510120.tif 000014
および／または平均相対電力要求αａｖｇ，ｉを決定してもよい。あるいは、基地局が、加重値
【数１３】
2005510120.tif 000015
および／または平均相対電力要求αａｖｇ，ｉを決定し、端末に信号で（例えば、レイヤ３のシグナリングを使用して）送ってもよい。
【００５７】
一般的に、各ＴＦＣの圧縮モード用の追加送信電力要求状態が、圧縮モード相対電力要求αｃｍ，ｉに対して、維持されてもよい。このαｃｍ，ｉは通常モード用の相対電力要求αｒｅｆ，ｉ掛けるオフセットαｏｆｆｓｅｔ，ｉ（すなわち、αｃｍ，ｉ＝αｒｅｆ，ｉ・αｏｆｆｓｅｔ，ｉ）として規定することができる。このオフセットは一般的にはゼロ（０．０）から最悪のケースの追加相対電力要求（すなわち、
【数１４】
2005510120.tif 000016
）まで及ぶ。端末が各ＴＦＣのオフセットを決定してもよく、またはシステムが決定し端末へ信号で送ってもよく、またはその他の手段で決定してもよい。
【００５８】
第３のＴＦＣ認定スキームにおいて、通常および圧縮の両モード用の各ＴＦＣに対して、単一の送信電力要求状態が維持される。この単一送信電力要求状態を、圧縮モード相対電力要求αｃｍ，ｉに対する各ＴＦＣについて、維持してもよく、αｃｍ，ｉは上記のように規定することができる（すなわち、αｃｍ，ｉ＝αｒｅｆ，ｉ・αｏｆｆｓｅｔ，ｉ）。さらに、各ＴＦＣの圧縮モード用のオフセットは、様々な手段で決定および／または提供してもよく、ＴＦＣのすべての組合せの最悪のケースの相対追加電力要求、平均相対追加電力要求、またはその他の値を示してもよい。
【００５９】
第４の認定スキームにおいて、“ビン”のセットのために、多数の送信電力要求状態を維持する。このようなビンのそれぞれは特定の相対電力要求に相当する。各ＴＦＣのそれぞれの組合せは特定の相対要求送信電力と関連し、それゆえに特定のビンと関連してもよく、このビンのために維持された送信電力要求状態をさらに利用してもよい。
【００６０】
圧縮および通常モード用のすべてのＴＦＣに対する最大から最小の相対電力要求をカバーする、すべてのＴＦＣの相対電力要求の合計レンジは一般的には非常に大きくはない（例えば、一般的には３０ｄＢよりもずっと少ない）。さらに、送信電力測定のために特定された正確さは非常に正確なものではない（例えば、０．５ｄＢかこれより悪い）。このように、圧縮および通常モード用のすべてのＴＦＣのすべての可能性ある組合せに対する相対電力要求を表すために、特定量（つまりビンサイズ）だけ離して間隔をあけた比較的少数のビンだけで十分である。その後、限られた数の送信電力要求状態がこれらのビンに対して維持されてもよく、各ビンに対する送信電力要求状態がそのビンに関連したすべての組合せによって参照されてもよい。
【００６１】
例として、すべてのＴＦＣの相対電力要求の合計レンジが３０ｄＢであり、０．５ｄＢのビンサイズを使用する場合、３０ｄＢのレンジをカバーする６１個のビンのために、６１個の送信電力要求状態を維持してもよい。これはＮＴ＝１２８を用いてそれぞれ上述した第１および第２のスキームを使用して維持するために必要な１５３６個および２５６個の状態から著しい低減を表すであろう。これらの状態のそれぞれを維持する必要があるので、処理要求もまた比例的に低減する。
【００６２】
相対電力要求のための３０ｄＢの合計レンジはあまりにも控えめな見積もりを表す可能性がある。合計レンジは、（コントロールオーバーヘッドなしと仮定して）基準送信のデータレートに対する、すべてのＴＦＣのすべての組合せについての最高データレートの比で制限される。ほとんどのケースに関して、この比は１０から１またはそれより小さくてもよく、これらのケースにおいて合計レンジは１０ｄＢかそれより小さいものにすぎないであろう。さらに、最大利用可能送信電力Ｐｍａｘの見積もりは正確に２ｄＢ以内であることが要求されるので、０．５ｄＢよりさらに粗いビンサイズをまた使用してもよい。したがって、より少ない合計レンジおよび／またはより粗いビンサイズに対してはさらにより少ないビンが必要であろう。一般的に、任意の数のビンが維持されてもよく、ビンサイズは均一であるかまたは変化してもよい。ビンの特定の値はシステム要求に基づいて決定してもよい。
【００６３】
図８はビンのセットのために維持された送信電力要求状態に基づいて、システムによってサポートされかつ使用するために選択できるＴＦＣを決定するプロセス８００の実施形態の流れ図である。最初に、基準送信電力レベルに対する送信電力レベルのセットに関連するビンのセットαｂｉｎ，ｉが規定される。上述の例に関して、３０ｄＢのレンジのために６１個のビンを規定し、ビンは０．５ｄＢだけ離して間隔をあける。ビンを一度規定しその後端末とシステムの間の各通信のために使用してもよい。ビンは最大のビンから最小のビンへ減少する順番で記憶してもよい。
【００６４】
図４に関して上述したように、ビンのセットのための送信電力要求状態が通信の間維持される。ステップ８１２において、特に、各測定期間に対して、各ビンについて式αｂｉｎ，ｉ・Ｐｒｅｆ>Ｐｍａｘが計算され、そのビンの対応したインジケータが得られる。このインジケータはビンが要求する送信電力レベルが最大利用可能送信電力でサポートされているかどうかを示す。その後ステップ８１４において、各測定期間について、新たに得たインジケータおよびビンのために以前得たＹ−１個の他のインジケータに基づいて各ビンの状態がそれに応じて更新される。
【００６５】
各ＴＦＣ選択間隔に対して、設定されたＴＦＣの状態が決定される。これは、ステップ８２２で、ＴＦＣを使用するときに、次に来る間隔のために各ＴＦＣに要求されるＥｂ／Ｎｔを達成するために必要な相対追加送信電力を第１に決定することで達成できる。αａｄｄ，ｉが相対追加送信電力を表し、αｒｅｆ，ｉがｉ番目のＴＦＣの通常モード用の相対電力要求を表す場合、ｉ番目のＴＦＣについて次に来る間隔のための相対電力要求αｉは
【数１５】
2005510120.tif 000017
として決定できる。相対追加送信電力αａｄｄ，ｉは次に来る間隔の任意の送信ギャップの存在に依存し、これに対処するものである。次に来る間隔に送信ギャップがない場合、αａｄｄ，ｉ＝１である。ステップ８２４で、式（２）に示すように各ＴＦＣに対する相対電力要求αｉが決定される。
【００６６】
その後ステップ８２６で、相対電力要求αｉに相当する、各ＴＦＣの特定のビンαｂｉｎ，ｉが識別される。各ＴＦＣのためのビンは、
αｂｉｎ，ｉ＝ｒｏｕｎｄ（αｉ）
として決定でき、ラウンディングは次に小さなビンに対するものである。その後ステップ８２８で、次に来る間隔に対する各ＴＦＣの状態を、ＴＦＣの相対電力要求αｉに対応するビンαｂｉｎ，ｉの状態に等しく設定する。
【００６７】
その後、次に来る間隔においてサポートされるＴＦＣが識別される。これは、ステップ８３２で、サポートされた状態（およびおそらく過剰電力状態）にあるすべてのＴＦＣを有効なＴＦＣとして選択することで達成できる。
【００６８】
第４のＴＦＣ認定スキームはいくつかの利点を提供する。第１に、すべての設定されたＴＦＣに対してより少ない数の送信電力要求状態を維持すればよいので、要求されるバッファリングおよび処理の量を減らすることができる。第２に、すべての可能性ある組合せを事前に決定する必要がない。その代わり、評価されている間隔に送信ギャップが存在する時にこれらの組合せ決定すればよい。第３に、Ｙ個の最新の測定期間に対するインジケータはすべてのＴＦＣのすべての可能な組合せに利用可能であるので、圧縮モードに入るとすぐに（すなわち、処理遅延なく）、圧縮モード用のＴＦＣの状態を決定することができる。それに対し、第１および第２のスキームは相対電力要求が知られた時にインジケータの記憶を開始し、これは状態を決定できる前にＹ個の測定期間の遅延となる可能性がある。第４に、バッファリング要求はＴＦＣの数とともに増加せず、処理要求は第１のスキームに関するものよりもより緩やかに増加する。
【００６９】
第５の認定スキームにおいて、Ｙ個の測定期間に対して、相対電力要求“閾値”のセットを決定して維持し、設定されたＴＦＣのそれぞれの状態を決定するために使用する。実施形態において、相対電力要求閾値は基準送信のために要求される送信電力に対する最大利用可能送信電力の比として規定する。各測定期間に対して、相対電力要求閾値αｔｈ（ｋ）は、
【数１６】
2005510120.tif 000018
として決定することができ、Ｐｒｅｆ（ｋ）はｋ番目の測定期間に対する基準送信に要求される送信電力である。端末の最大利用可能な送信電力が一定（システムが調整しない限り一般的にはそのとおりである）である場合、相対電力要求閾値は基準送信のために要求される送信電力を示し、それに関連する。相対電力要求閾値αｔｈ（ｋ）はＴＦＣ相対電力要求αｉに関するものと同じダイナミックレンジおよび正確さを有するはずである。このように、相対電力要求閾値は第４のスキームにおけるビンに関するものと同様なバッファリング要求を有する。
【００７０】
Ｙ個の相対電力閾値のセットとともに、圧縮モードにおける各ＴＦＣの可能性ある各組合せのためにある（例えば、２ビットの）状態を維持してもよい。あるいは、それぞれ異なる（概念で上述のビンと類似する）相対電力要求に対してある状態を維持してもよい。さらに、各可能性ある組合せのために、またはそれぞれ異なる相対電力要求（またはビン）のために、タイマを維持してもよい。過剰電力状態とブロックされた状態との間の移行を決定するためにタイマが使用される。
【００７１】
各ＴＦＣ選択間隔に対して、次に来るＴＦＣ間隔の各ＴＦＣに適用可能な組合せを最初に識別する。その後、各ＴＦＣに適用可能な組合せの状態は、（１）適用可能な組合せによって要求される相対追加送信電力、αａｄｄ，ｉ（２）ＴＦＣの通常モード用の相対電力要求αｒｅｆ，ｉ（３）Ｙ個の相対電力要求閾値のセット、および（４）組合せまたは関連するビンのために維持される（２ビット）状態およびタイマ、に基づき決定される。
【００７２】
図９は、Ｙ個の測定期間に対して決定される相対電力要求閾値のセットに基づいて、システムによってサポートされかつ使用するために選択できるＴＦＣを決定するプロセス９００の実施形態の流れ図である。簡単にするため図９には示していないが、各ＴＦＣのそれぞれの組合せの状態をサポートされた状態に初期化する。ステップ９１２で、各測定期間に対して、相対電力要求閾値αｔｈ（ｋ）が式（３）に示すように決定され、バッファに記憶される。図９に示した実施形態に関して、ステップ９１４で、タイマが過剰電力状態における各組合せのために維持され、このタイマがまた各測定期間に対して更新される。ステップ９１２および９１４を各測定期間に対して行なう。
【００７３】
各ＴＦＣ選択間隔に対して、ブロック９２０におけるステップに従って、各ＴＦＣのそれぞれ適用可能な組合せの状態が決定される。これは、ステップ９２２で、それぞれ適用可能な組合せに対して次に来る間隔に要求されるＥｂ／Ｎｔを達成するために必要な相対追加送信電力αａｄｄ，ｉを第１に決定することで達成できる。その後ステップ９２４で、式（２）に示すように、通常モード用の相対追加送信電力αａｄｄ，ｉおよび相対電力要求αｒｅｆ，ｉに基づいて、それぞれ適用可能な組合せに対する次に来る間隔の相対電力要求αｉを決定してもよい。その後、以下に１つの例の組合せとして記載されるステップ９３２から９５４に基づいて、それぞれ適用可能な組合せの状態が決定される。
【００７４】
ステップ９３２で、適用可能な組合せはサポートされた状態にあるかどうか、および組合せの相対電力要求αｉは、最後のＹ個の測定期間のうちＸ個よりも多くに対して、相対電力要求閾値αｔｈ（ｋ）よりも大きいかどうか、が決定される。もし答えがそのとおりである場合、その後ステップ９３４で、組合せが過剰電力状態に設定され、ステップ９３６で組合せのタイマがリセットされる。プロセスはその後ステップ９６２に進む。
【００７５】
そうでなければ、ステップ９４２で、組合せが過剰電力状態にあるかどうか、およびその関連するタイマがＴｂｌｏｃｋより大きいかどうかが決定される。もし答えがそのとおりである場合、ステップ９４４で、組合せをブロックされた状態に設定する。プロセスはその後ステップ９６２に進む。
【００７６】
そうでなければ、ステップ９５２で、Ｙ個の測定期間について、組合せの相対電力要求αｉが相対電力要求閾値αｔｈ（ｋ）に等しいかまたはそれより小さいかどうかが決定される。もし答えがそのとおりであれば、その後ステップ９５４で組合せがサポートされた状態に設定される。
【００７７】
再度説明すると、それぞれ適用可能な組合せのためにステップ９３２から９５４を行なう。すべての適用可能な組合せに対してこれらのステップを完了すると、プロセスはステップ９６２に進み、次に来る間隔においてサポートされるＴＦＣを識別する。これは、ステップ９６２で、サポートされた状態（およびおそらく過剰電力状態）において適用可能な組合せを有するすべてのＴＦＣを有効なＴＦＣとして選択することで達成できる。
【００７８】
第５のスキームに関して、各ＴＦＣ（または各ビン）のそれぞれの組合せのためおよび各ＴＦＣ選択間隔のために、Ｙ個のすべての測定期間にわたる比較が行なわれる。第５のスキームは第４のスキームについて上に列挙した利点の多くを提供することができ、これには、低減した（相対電力要求を記憶するための）バッファリング要求や、バッファリング要求における追加の増加をほとんどまたはまったく無しですべての可能性あるＴＦＣおよびそれらの組合せをカバーする柔軟性が含まれる。
【００７９】
第５のスキームの上記の記載において、相対電力要求閾値αｔｈ（ｋ）得られて記憶される。他の実施形態では、基準送信のために要求される送信電力を示す（またはそれに関連する）他の値が得られて記憶されてもよい。例えば、最大利用可能送信電力Ｐｍａｘとともに、要求された送信電力Ｐｒｅｆ（ｋ）それ自体が記憶されてもよい。所定のＴＦＣの状態を決定するために、ＴＦＣのために要求される送信電力は最初、αｉ・Ｐｒｅｆ（ｋ）として得られてもよく、その後最大利用可能送信電力Ｐｍａｘに対して比較される。比較から得られたインジケータはその後ＴＦＣの状態を決定するために使用してもよい。
【００８０】
設定されたＴＦＣのうちどれが端末およびチャネル状態によってサポートされる（すなわち、要求された（Ｅｂ／Ｎｔ）を達成することができる）かを決定するために、上記の様々なＴＦＣ認定スキームを使用してもよく、したがって次に来る間隔において使用するために選択してもよい。これらのスキームは通常モード、圧縮モードおよび両方のモード用に使用してもよく、送信ギャップが間隔に存在するかどうかに依存して、次に来る間隔において所定のＴＦＣがサポートされるかどうかを宣言するための異なる手段を効果的に実行することができる。他のＴＦＣ認定スキームまたはここに記載されたスキームの変形がまた実行されてもよく、それらはやはり発明の範囲内である。
【００８１】
明確にするために、ＴＦＣ認定スキームはまたＷ−ＣＤＭＡに規定され図４に記載された特定のアルゴリズムに対して説明され、これによって、最後のＹ個の測定期間のうちのＸ個よりも多くに対して、ＴＦＣの要求送信電力αｉ・Ｐｒｅｆが、最大利用可能送信電力Ｐｍａｘより大きくない場合、ＴＦＣがサポートされているとみなされる。ここに記載されたＴＦＣ認定スキームはまた他のアルゴリズムと関連して使用してもよく、これは発明の範囲内である。
【００８２】
ここに記載されたＴＦＣ認定技術はＷ−ＣＤＭＡシステムのアップリンク送信のために有利に実行することができる。これらの技術またはそれらの変形はダウンリンクのためおよび／または他のＣＤＭＡシステムにおいて使用するために採用してもよく、これは発明の範囲内である。
【００８３】
ここに記載された技術を様々な手段で実行してもよい。例えば、これらの技術はハードウェア、ソフトウェア、またはそれらの組合せで実行してもよい。ハードウェアの実行に関して、これらの技術のすべてまたは一部を実行するために使用される要素を、１つ以上の特定用途向け集積回路（ＡＳＩＣ）、デジタルシグナルプロセッサ（ＤＳＰ）、デジタルシグナルプロセッシングデバイス（ＤＳＰＤ）、プログラマブルロジックデバイス（ＰＬＤ）、フィールドプログラマブルゲートアレイ（ＦＰＧＡ）、プロセッサ、コントローラ、マイクロ−コントローラ、マイクロプロセッサ、ここに記載された機能を行なうように設計されたその他の電子ユニット、またはそれらの組合せ内で、実行してもよい。
【００８４】
ソフトウェアの実行に関して、ここに記載された技術をここに記載の機能を行なうモジュール（例えば、手順、機能等）で実行してもよい。ソフトウェアコードをメモリユニット（例えば、図１のメモリ１３２または１６２）に記憶してもよく、プロセッサ（例えば、コントローラ１３０または１６０）で実行してもよい。メモリユニットはプロセッサ内またはプロセッサの外部で実行してもよく、その場合メモリユニットは技術的に知られている様々な手段を通じてプロセッサに通信で結合する。
【００８５】
開示された実施形態のこれまでの記述は当業者が本発明を作成または使用することを可能にするために提供される。これらの実施形態への様々な修正は当業者に容易に明らかであり、ここに規定された一般的な原理を発明の精神または範囲から逸脱することなくその他の実施形態に適用してもよい。このように、本発明はここに示された実施形態に限定すると意図していないが、ここに開示された原理および新規な特徴と矛盾しない最も広い範囲を与えられるべきである。
【図面の簡単な説明】
【００８６】
【図１】図１は基地局と端末の実施形態の簡略化されたブロック図である。
【図２】図２はＷ−ＣＤＭＡ標準規格にしたがったアップリンクデータ送信のための端末における信号処理の図である。
【図３】図３は異なるトランスポートチャネルのために使用可能な多数の異なるトランスポートフォーマットを図示する。
【図４】図４はＷ−ＣＤＭＡによって規定された、設定されたＴＦＣのそれぞれの可能性ある状態の状態図である。
【図５】図５はＷ−ＣＤＭＡにしたがった圧縮モード送信を図示する図である。
【図６】図６は圧縮モードでのデータ送信を図示する図である。
【図７】図７は各ＴＦＣの複数の組合せのために維持された送信電力要求状態に基づいて、システムによってサポートされかつ使用するために選択できるＴＦＣを決定するプロセスの実施形態の流れ図である。
【図８】図８はビンのセットのために維持された送信電力要求状態に基づいて、システムによってサポートされかつ使用するために選択できるＴＦＣを決定するプロセスの実施形態の流れ図である。
【図９】図９は相対電力要求閾値のセットに基づいて、使用するためにサポートされたＴＦＣを決定するプロセスの実施形態の流れ図である。
【図１】
2005510120.tif 000019
【図２】
2005510120.tif 000020
【図３】
2005510120.tif 000021
【図４】
2005510120.tif 000022
【図５】
2005510120.tif 000023
【図６】
2005510120.tif 000024
【図７】
2005510120.tif 000025
【図８】
2005510120.tif 000026
【図９】
2005510120.tif 000027
【国際調査報告】
2005510120.tif 000028
2005510120.tif 000029